Podtech/llm-jp-corpus-v4-ja_patent huggingface dataset:
(57)【要約】【課題】この発明は、表面に物体の前部、裏面に物体の後部を印刷して、表裏一体の絵柄や写真をハサミで切り抜くことでグッズを提供できる郵便ハガキに関するものである。【解決手段】郵便ハガキの表面に、物体の正面の絵柄や写真を印刷し、且つ、郵便ハガキの裏面に物体の背面の絵柄や写真を輪郭を合わせて印刷する。連結あるいは２枚の紙を粘着面で一体化したハガキの場合も同様である。【選択図】    図１
2004224037.tif 000002
【特許請求の範囲】
【請求項１】
表面にキャラクターや動物、物、人物、建物等の絵や写真を印刷し、裏面には表面に印刷した絵や写真の物体の輪郭に合わせて後姿や後方部を印刷した郵便ハガキ。
【請求項２】
連結あるいは２枚の紙よりなり、片面は粘着剤が塗ってあり、貼り合わせてハガキの大きさになる構造で、その表面にキャラクターや動物、物、人物、建物等の絵や写真を印刷し、裏面には表面に印刷した絵や写真の物体の輪郭に合わせて後姿や後方部を印刷した郵便ハガキ。
【発明の詳細な説明】
【０００１】
【発明の属する技術分野】
この発明はハガキの表面にキャラクターや動物、物、人物、建物等の絵や写真を印刷し、裏面には表面に印刷した絵や写真の物体の輪郭に合わせて後姿や後方部を印刷した郵便ハガキに関するものである。
【０００２】
【従来の技術】
従来の郵便ハガキは、裏面に絵や写真を印刷するか表面の下半分に同様の印刷をしていた。
【０００３】
【発明が解決しようとする課題】
本発明は、従来の概念から離れて、郵便ハガキの表面の全面を有効利用し、キャラクター等の表面の印刷と裏面の後姿などの印刷を輪郭で一致させて、郵便ハガキからグッズがハサミで切り抜けるようにしたことにある。これらは、郵便事業法に合致したものである。
【０００４】
【課題を解決するための手段】
解決手段を図面を追いながら説明すると
（イ）郵便ハガキの表面１に、物体の絵や写真を印刷する。
（ロ）郵便ハガキの裏面２に、表面の絵柄や写真の物体の輪郭に合わせて、その物体の後姿や後方部を印刷する。
（ハ）連結あるいは２枚のハガキ用紙から成り、片方に粘着材３を塗っておき貼り合せることで一体形になる郵便ハガキで、（イ）（ロ）と同様に物体の輪郭に合わせて表面と裏面に物体の前姿や後姿などをそれぞれ印刷する。
（ニ）上記の印刷の形態は、表面と裏面の絵柄などが逆になってもよい。
【０００５】
【発明の実施の形態】
本発明は以上のような構造であるから、１枚タイプの郵便ハガキの場合、表面の空白部に受取人の住所、氏名を記載し、裏面には空白部に伝達事項や差出人の住所、氏名を記入する。差出人の住所、氏名は前面に記載してもよい。
連結あるいは２枚からなる構造の郵便ハガキの場合は、粘着剤が塗られていない面に伝達事項を記入後、貼り合わせて一体化したハガキとして、前者同様、空白部に受取人や差出人の住所、氏名を記載する。又、貼り合わせ部は弱粘着で剥がすことができる。又、それぞれ、表面と裏面に輪郭が一致した絵や写真が印刷されているので、郵便ハガキとしての伝達の役目が終了した後は、この郵便ハガキを受け取った人がハサミでハガキに印刷された物体の輪郭に沿って物体の絵柄や写真を切り抜く。
【０００６】
【発明の効果】
役目が終わり捨てられる運命となった郵便ハガキから、グッズが新しく生まれるという効果がある。
【図面の簡単な説明】
【図１】（Ａ）図は、郵便ハガキの表面（正面図）。
（Ｂ）図は、郵便ハガキの裏面（背面図）。
【図２】粘着剤を使った連結あるいは２枚タイプの郵便ハガキで
（Ｃ）図は、開いた連結タイプの郵便ハガキの斜視図。
（Ｄ）図は、閉じて貼り合わせた連結タイプの郵便ハガキの斜視図。
【符号の説明】
１は、ハガキの表面
２は、ハガキの裏面
３は、粘着面
４は、伝達事項記入面
【図１】
2004224037.tif 000003
【図２】
2004224037.tif 000004
(57)【要約】【課題】構成が簡素化された冷却媒体・離型剤噴霧装置を提供すること。【解決手段】制御装置９０、第１開閉弁２６、第２開閉弁３６及び第３開閉弁４６から構成される切換手段が、冷却水及び離型剤を圧縮空気と択一的に混合させることにより、冷却水及び離型剤を夫々前後してキャビティ表面８２に噴霧せしめるようにした。【選択図】  図１
2004224004.tif 000002
【特許請求の範囲】
【請求項１】
金型のキャビティ表面を指向する吐出口が形成されたノズルと、前記ノズルに供給された圧縮空気が前記ノズル内にて冷却水及び離型剤と択一的に混合させて前記冷却水及び前記離型剤を夫々前後して前記キャビティ表面に噴霧せしめる切換手段とを備えた冷却媒体・離型剤噴霧装置。
【発明の詳細な説明】
【０００１】
【発明の属する技術分野】
本発明は、冷却媒体・離型剤噴霧装置に関し、特に金型のキャビティ表面に冷却媒体や離型剤を噴霧する装置に関する。
【０００２】
【従来の技術】
ダイキャストマシンその他の成形機においては、型開状態になる都度、金型から鋳込み製品の型離れを良くするために、金型キャビティ表面に冷却媒体を噴霧して金型キャビティの温度を所定値に降下させた後、金型キャビティ表面に離型剤が噴霧されるようになっている。すなわち、噴霧装置からまず冷却媒体が、次いで離型剤が、夫々、金型キャビティに噴霧されるようになっている（例えば、特許文献１参照）。
【０００３】
【特許文献１】
特許第３００３８２４号公報  （第１〜３頁、図１〜４）
【０００４】
【発明が解決しようとする課題】
ところが、この特許文献１は、噴霧装置を機能的に開示するのみで、その具体的構成が開示されていない。推測するに、噴霧装置は、冷却媒体噴霧手段と離型剤噴霧手段が併存していると思われる。そうだとすれば、噴霧に必須の圧縮空気の源たるブロワが、各噴霧手段に備えられていることになり、噴霧装置、特にエアの開閉弁の構成が複雑となる。
【０００５】
それ故に、本発明は、構成の簡素化が可能な冷却媒体・離型剤噴霧装置を提供せんことを、その技術的課題とする。
【０００６】
【課題を解決するための手段】
上記した課題を解決するために講じた手段は、
「金型のキャビティ表面を指向する吐出口が形成されたノズルと、前記ノズルに供給された圧縮空気が前記ノズル内にて冷却水及び離型剤と択一的に混合させて前記冷却水及び前記離型剤を夫々前後して前記キャビティ表面に噴霧せしめる切換手段とを備えた冷却媒体・離型剤噴霧装置」
を構成したことである。
【０００７】
【発明の実施の形態】
以下、本発明にかかる冷却媒体・離型剤噴霧装置の一実施形態例を、具体的に説明する。
【０００８】
冷却媒体・離型剤噴霧装置１０は、ノズル１２を備える。ノズル１２はマニホールド１４に保持された２つの吐出口１２Ａ・１２Ｂを有する。吐出口１２Ａ・１２Ｂは、金型８０のキャビティ表面８２を指向している。
【０００９】
離型剤が収容されたタンク２０は、配管２２の一端部２２Ｘと連結される。配管２２の他端部は二股状となっており、吐出口１２Ａに連結された第１端部２２Ａと吐出口１２Ｂに連結された第２端部２２Ｂとから構成される。配管２２にはポンプ２４及び第１開閉弁２６が介設されている。ポンプ２４及び第１開閉弁２６は、マイコン（図示略）を主要構成要素とする制御装置９０の統制下にある。
【００１０】
エア源たるブロワ３０の吐出口は、配管３２の一端部３２Ｘと連結される。配管３２の他端部は二股状となっており、吐出口１２Ａに連結された第１端部３２Ａと吐出口１２Ｂに連結された第２端部３２Ｂとから構成される。配管３２には第２開閉弁３６が介設されている。ブロワ３０及び第２開閉弁２６は、制御装置９０の統制下にある。
【００１１】
第２開閉弁３６の下流において、配管３２にはミキシングブロック３８が形成される。このブロック３８は、逆止弁４８に接続される。この逆止弁４８は、配管４２を介して、冷却水が収容されたタンク４０に連結される。逆止弁４８とタンク４０との間には、ポンプ４２及び第３開閉弁４６が介設される。ポンプ４２及び第３開閉弁４６は、制御装置９０の統制下にある。
【００１２】
上記した冷却媒体・離型剤噴霧装置１０は、制御装置９０により、次のように作用する。
【００１３】
冷却媒体・離型剤噴霧装置１０が起動していないとき（図示されないメインスイッチがオフのとき）、第１開閉弁２６、第２開閉弁３６及び第３開閉弁４６は閉じられている。
【００１４】
メインスイッチがオンされて冷却媒体・離型剤噴霧装置１０が起動されると、制御装置９０は、第２開閉弁３６及び第３開閉弁４６を開く。すると、ブロワ３０から吐出されたエアつまり圧縮空気は配管３２を通過してノズル１２の吐出口１２Ａ・１２Ｂに圧送される。同時に、ポンプ４２により圧縮されたタンク４０内の冷却水は、配管４２を通過して、配管３２のミキシングブロック３８に至り、配管３２を通過中の圧縮空気と混合される。結果として、冷却水が霧化されて、ノズル１２の吐出口１２Ａ・１２Ｂからは、冷却水が金型８０のキャビティ表面８２に向けて噴霧される。この冷却水の噴霧を所定時間、継続して行うことにより、金型８０の冷却がなされる。
【００１５】
尚、かような金型冷却工程の間、逆止弁４８は、圧縮空気の配管４２への流入を阻止している。
【００１６】
次いで、制御装置９０は、第３開閉弁４６を閉じると共に第１開閉弁２６を開く。すると、ポンプ２４により圧縮されたタンク２０内の離型剤は、配管２２を通過して、ノズル１２の吐出口１２Ａ・１２Ｂに至るが、ノズル１２の吐出口１２Ａ・１２Ｂからは圧縮空気が吐出しているので、結果として、離型剤が、ノズル１２の吐出口１２Ａ・１２Ｂから、金型８０のキャビティ表面８２に向けて噴霧される。この離型剤の噴霧を所定時間、継続して行うことにより離型剤塗布工程が履践される。
【００１７】
上記作動を簡潔に述べれば、制御装置９０、第１開閉弁２６、第２開閉弁３６及び第３開閉弁４６から構成される切換手段が、冷却水及び離型剤を圧縮空気と択一的に混合させることにより、冷却水及び離型剤を夫々前後してキャビティ表面８２に噴霧せしめる。
【００１８】
尚、ポンプ２４・４２及びブロア３０は、必ずしも制御装置９０の統制下に置く必要がなく、適宜、個別に駆動せしめても良い。
【００１９】
【発明の効果】
本発明によれば、冷却媒体の噴霧及び離型剤の噴霧を共通のエア源たるブロワで行うことが出来るので、装置の簡素化が可能となり、実用上、多大な効果を奏する。
【図面の簡単な説明】
【図１】本発明にかかる冷却媒体・離型剤噴霧装置の一実施形態例のブロックダイグラム。
【符号の説明】
２６  第１開閉弁（切換手段）
３６  第２開閉弁（切換手段）
４６  第３開閉弁（切換手段）
６０  温泡発生装置
８０  金型
８２  キャビティ
９０    制御装置（切換手段）
【図１】
2004224004.tif 000003
(57)【要約】天然素材である藍を使用した畳表花筵を生産する製法。人体に無害な抗菌、消臭、防汚作用を有するイ草製品を製造する方法。【目的】天然素材である藍を使用してイ草を染色、光触媒酸化チタンを加工する事で抗菌、消臭、防汚作用、環境浄化の効果のあるイ草製品となる。【構成】イ草に天然藍及び酸化チタン展着剤【特許請求の範囲】
【請求項１】
天然藍の染料をイ草に染色し、又酸化チタンによる光触媒の加工したイ草製品の製造方法
【発明の詳細な説明】
［産業上の利用分野］
イ草製品の染料は主として土染めであったが、天然藍を染料、光触媒、酸化チタンを加工する事で、抗菌、消臭、防汚作用があり人体に無害で環境に良い優れた製品が出来る。
［従来の技術］
現在迄は、主として土染めでイ草製品を製造していた。
［発明が解決しようとする課題］
イ草に天然藍及び光触媒、酸化チタンを加工する事によって抗菌、消臭、防汚効果、無害で環境に良い優れた製品が出来る。
［課題を解決するための手段］
本発明はイ草製品の抗菌、消臭、防汚作用及び、無害で環境に良い優れた製品となり、耐久性は２倍以上長持ちする。
［作  用］
イ草に天然藍及び光触媒、酸化チタンを使用する事で抗菌、消臭、防汚作用によって環境によい優れた製品となる。
［実施例］    配合表
イ草１０ｋｇに対して
天然藍                            １０ｇ
酸化チタン                        １０ｇ
［発明の効果］
抗菌、消臭、防汚作用、環境に良い優れたイ草製品が出来る。
(57)【要約】【課題】マンガや週刊誌などの書籍の多くは通勤、通学途中の電車等で読まれ、読み終えた書籍は家へ持ち帰るとゴミとしてかさばる為、駅構内のゴミ箱等に廃棄されることが多い。これを第三者が回収し各主要駅周辺の歩道等で再販売及び再購入されていた。【解決手段】書籍本体１の表紙２の綴じ込み辺に沿って切り込み３及びミシン目４を設け、注意書き等の案内文により廃棄時に表紙を切り込み３及びミシン目４に沿って切り離してからゴミ箱等に廃棄することを読者に促すことにより、書籍の再販売及び再購入を防止することができる。【選択図】  図１
2004224025.tif 000002
【特許請求の範囲】
【請求項１】
廃棄時に表紙を切り離すことを促す案内文が表紙に記載され、さらに表紙を切り離しやすいように、表紙の綴じ込み辺に沿って、切り込み及びミシン目を形成したことを特徴とする再販売防止書籍。
【発明の詳細な説明】
【０００１】
【発明の属する技術分野】
本発明は、書籍の表紙の形状に関する。
【０００２】
【従来の技術】
従来の書籍の表紙の形状は、図２に示すように、書籍本体１に表紙２が設けられたものである。
【０００３】
【発明が解決しようとする課題】
しかしながら、以上の従来技術によれば、読書後駅構内のゴミ箱等に廃棄された後、第三者が回収し各主要駅周辺で再販売及び再購入されていた。
そこで、この発明は読書後に表紙を切り離して廃棄することを案内文にて促し、さらに表紙を切り離して廃棄しやすいよう、表紙に切り込み及びミシン目を有する書籍を提供し、再販売及び再購入を防止することを課題とする。
【０００４】
【課題を解決するための手段】
以上の課題を解決するために、請求項１の発明は、廃棄時に表紙を切り離すことを促す案内文が表紙に記載され、さらに表紙を切り離しやすいように、表紙の綴じ込み辺に沿って、切り込み及びミシン目を形成したことを特徴とする再販売防止書籍である。
【０００５】
【発明の実施の形態】
この発明の一実施形態を、図１に示す。
書籍本体１は紙製であり、この書籍本体１には紙製の表紙２が一体的に設けられている。この表紙２の綴じ込み辺に沿って切り込み３及びミシン目４が設けられている。また表紙２には廃棄時に表紙を切り離すことを促す案内文５が設けられている。
【０００６】
（実施形態の効果）
この実施形態によれば、切り込み３及びミシン目４により、表紙２を切り離しやすい。
【０００７】
（他の実施形態）
図１の実施形態では、表紙２の綴じ込み辺に沿って切り込み３及びミシン目４が設けられていたが、他の実施形態では、書籍本体１の表紙側１、２枚目にも表紙２と同様な切り込み及びミシン目を設けたものでも良い。
【０００８】
【発明の効果】
以上説明したように、この発明によれば、書籍の表紙に切り込み及びミシン目を設けたので、表紙を切り離しやすい。
【０００９】
また、廃棄時に表紙を切り離すことにより、再販売及び再購入を防止できる。
【図面の簡単な説明】
【図１】この発明の一実施形態を示す斜視図である。
【図２】従来技術を示す斜視図である。
【符号の説明】
１  書籍本体                    ２  表紙
３  切り込み                    ４  ミシン目
５  案内文
【図１】
2004224025.tif 000003
【図２】
2004224025.tif 000004
(57)【要約】      （修正有）【課題】本や雑誌を読むとき、見開きが立上がったり頁が戻ったりすることを防ぐ。また読書を中断したときの栞の役目を持たせ更に取り付けたまま折畳んで別の本に積み重ねることができ、書棚の中に嵩張らずに立て掛けられ鞄の中にも収納することができるようにする。【解決手段】ヘアーピン状の広い鋼板の弾力で表紙を挟みつけ、鋼板自体に見開きを押さえる仕組みを併用させる簡素な形状と、確実な機能を持たせる。【選択図】  図３
2004224023.tif 000002
【特許請求の範囲】
【請求項１】
端を不揃いに折り曲げた鋼板の円弧に、細い切り抜きを設け、両端面が接触する弾力で、表紙を挟むことを特徴とする見開き押さえクリップ。
【請求項２】
前記、切り抜きに沿って動く支柱の動作で、端面の開閉と、見開きを押さえることのできる、請求項１記載の見開き押さえクリップ。
【請求項３】
前記、折り曲げた円弧の内側に、楕円の軸木を嵌め、これに挿した支柱を、切り抜きに沿って動作させる請求項２記載の見開き押さえクリップ。
【発明の詳細な説明】
【０００１】
【発明の属する技術分野】
本発明は、本や雑誌等を読む時に見開きの頁の返戻を防ぐための器具である。
【０００２】
【従来の技術】
現在、見開き押さえ器として市販されているものは見当らない。先行願書で知ったものは、×状に交差させた支点にコイルばねを嵌めて開閉した間に表紙を挟む仕組みのようであった。これらは、構造が複雑で形態が嵩張り使用しづらい難点があり市場に現れないのかもしれない。
読書中は、適当な重さの物を見開きの上に乗せたり、有り合わせのクリップで表紙と見開きを一緒に挟んで捲る度に煩わしさを経験する。又、立ち読みのときは両手で表紙を握り親指で見開きを押さえたり、片方の掌で表紙を支え、親指で見開きの中央を斜交に押さえ片方の指で捲っていることが多い。
【０００３】
【発明が解決しようとする課題】
読書中の見開きの戻りの煩わしさを解決するためには、操作が簡単で、中断したときの栞の役目の他に、取り付けたまま折り畳んで別の本に積み重ねることができ、書棚の中に嵩張らずに立て掛けられ、鞄の中にも収納することのできるものが求められる。
【０００４】
【課題を解決するための手段】
ヘアーピン状で幅の広い鋼板の弾力で表紙を挟みつけ、鋼板本体に見開きを押さえる仕組みを併有させる簡素な形状と、確実な機能をもたせることにした。
【０００５】
【発明の実施の形態】
実施の形態を図面を参照して説明する。
図１は、鋼板の平面図で、折り曲げの位置を中央よりずらした中心線（５）とし、直径６ｍｍの円で折り曲げる。中心線（５）の右近くにＴ字型の切り抜き（１）をカットする。
図２は、前記の側面図で、中心線（５）より曲げた円弧（６）を２００度にすると右側の短端（７）が、左側の長端（８）と接触する内角度を約２０度とする。
切り抜き（１）は曲がって円周に移るので、Ｔ字型の角からボルト（２）の頭（９）を斜めにして内面に挿し込む。切り抜き（１）の幅は、頭（９）の径より狭くして抜け出すことを防ぐ。
外面に出たボルト（２）は支柱となるもので、ボルト（２）より短い軟質塩ビのチューブ（１０）と同質のワッシャ（１１）を被覆し、更に、小口に横孔（２０）をあけ先を斜めにカットし湾曲させたアーム（１３）を直角に挿して、ナット（１４）で締め付け、円弧の外面に圧着させる。ボルト（２）の傾斜を、長端（８）に対して約７０度の位置にしたときの状態を示す。
図３は、操作法の斜視図でイは、長端（８）の露出部（１７）を表紙の外側の下から挿し入れて指先で表紙の上から押さえ、別の指でボルト（２）を摘み、斜後向に梃子状に抉じり、短端（７）を広げ、更にボルト（２）近くまで押し入れ親指を離して挟み、図３ロの状態にし、アーム（１３）は頁の上に軽くタッチする。
図３ハは、読書を中断し閉じるときの状態でボルト（２）を摘み、切り抜き（１）に沿って頭（９）を後方背面に回して倒し長端（８）と平行の状態にする。更にアーム（１３）を９０度回して、本の厚さの幅の中に折り畳むと収納し易くなる。
取り外すときは、元の位置に戻してボルト（２）を抉じり、短端（７）を開いて挟を広げ抜き取る。
【０００６】
図４は、請求項３の側面図で、鋼板を折り曲げた円弧（６）を約２８０度の優弧（１８）とし、その接線から先の端面が接触する内角を約１５度とし、円弧（６）の上側の接点（１５）から下側の接点（１５′）までの外周に切り抜き（１）をカットする。
円弧（６）の内側に、合致して動く軸木（４）を嵌めるが、前記、接点（１５）と接点（１５′）の空間の上端に、凸起（１６）を設ける。この位置で切り抜き（１）に合わせて軸木（４）に孔（１２）をあけ支柱となるボルト（２）を挿し込む。軟質塩ビ管を約７０度に曲げた先がアーム（１３）となったチューブ（１０）を被覆挿入する。
ボルト（２）を回動すると、軸木（４）の凸起（１６）が円弧の内面に割り込み、その力で両端を迫上げ挟の開閉に連動する。
尚、軸木（４）の凸起（１６）の高さの入る凹型（１９）を円弧（６）に設け、前記ボルト（２）の折り畳みを可能にすることができる。
【０００７】
【発明の効果】
本発明は、開いた本の両側に取り付けると、最初の一頁から最終頁まで、タッチするアーム（１３）の下から頁を一枚ずつ指先でスライドして抜き、裏返して反対のアームの下に滑りこませることができ、左右どちらの指でも軽く操作できる。中断するときは栞にもなり、支柱のボルト（２）を倒して、積み重ねると他の本との折り合いもよく机上に傷をつけることもない。又、書棚の他の本の間にも、鞄の中にも無理なく収納できる。
【図面の簡単な説明】
【図１】鋼板の平面図を示す。
【図２】図１の側面図を示す。
【図３】図２の使用法を示す斜視図。
【図４】請求項３の軸木型の側面図。
【符号の説明】
１．          切り抜き
２．          ボルト
３．          弾性管
４．          軸木
５．          中心線
６．          円弧
７．          短端
８．          長端
９．          頭
１０．          チューブ
１１．          ワッシャ
１２．          孔
１３．          アーム
１４．          ナット
１５．１５′．  接点・接点
１６．          凸起
１７．          露出部
１８．          優弧
１９．          凹形
２０．          横孔
【図１】
2004224023.tif 000003
【図２】
2004224023.tif 000004
【図３】
2004224023.tif 000005
【図４】
2004224023.tif 000006
(57)【要約】      （修正有）【課題】冷蔵庫、スチール家具等の各種の金属面に各種の伝票類、レシート等の紙片を一時的に磁石を以って挟持する伝票等の紙挟み保持具を提供するものである。【解決手段】保持具本体１を可動主体２と取付体３とより構成し、該可動主体には、裏面の先端部に各種形状の磁力体５と相対する枢軸を設ける。また、該取付体には、裏面側に磁力板を接着すると共に、該枢軸と回動自在の軸受部を突設したものである。【選択図】図１
2004224022.tif 000002
【特許請求の範囲】
【請求項１】
保持具本体（１）は、各種形状の開閉自在の可動主体（２）と、該可動主体（２）を回動するための取付体（３）とより構成され、該可動主体（２）には、裏面の先端部に各種形状の磁力体（５）を接着すると共に、相対する枢軸（６）（６）を突設し、且つ該取付体（３）には、裏面側に各種の磁力板（７）を接着し、且つ該取付体（３）には、該可動主体（２）に設けた該枢軸（６）（６）と回動自在に対応する軸受部（８）（８）を突設したことを特徴とする伝票等の紙挟み保持具。
【発明の詳細な説明】
【０００１】
【産業上の利用分野】
本発明は、冷蔵庫、スチール家具等の各種の金属面に対して、各種の伝票類、レシート、領収書等の紙片を一時的に挟持保持するための伝票等の紙挟み保持具に関するものである。
【０００２】
【従来の技術】
従来のこの種の伝票等の保持具は、可動主体と取付体とを以って構成されてはいるが、該可動主体には、軸の廻りにスプリングを以って回動自在に開閉する構成となっているものが一般的に使用されている現状である。
【０００３】
【発明が解決しよとうする課題】
上記従来の技術で述べた伝票等の紙挟み保持具においては、取付体を磁石等で金属面に取付け、該取付体にスプリングの反発力を利用して可動主体の先端を金属面に圧接して紙片等を挟持するものである。然し、この保持具本体によれば、該可動主体の先端に伝票等の紙片を圧持する場合は、可動主体の端部を押圧によりスプリングの反発力に抗して開放し、紙片を挿入してスプリングの力によって保持するものである。次に、該紙片を取り外しする場合は、再度人間の手部によって、該可動主体の端部を押圧して強力なスプリングに抗して開放し、該紙片を取り外すと云う面倒な手間が係ると共に、この場合は、スプリングを捲着して組立すると云う大変に面倒な作業となる欠点と、スプリング部分が容易に外れたり、破損しやすいと云う欠点もある。
本発明は、上記従来の技術の有するこの様な欠点に鑑みて改良したものであって、可動主体と取付体とをスプリングを使用することなく、各々に磁石体を取着することによって、伝票、レシート等の紙片を取り外すのに、再度手部を使用することなく磁力の滑性を利用して該紙片を引っ張ることによって容易に離脱取り外すことができる伝票等の紙挟み保持具を提供しようとするものである。
【０００４】
【課題を解決するための手段】
本発明は、上記目的を達成するために発明したものであって、可動主体の先端部に磁力体を接着する。また、可動主体には相対する位置に枢軸を突設してある。該可動主体に軸着する取付体には、裏面に磁力板を接着すると共に、該枢軸に回動自在となる相対する軸受部を突設形成したものである。
【０００５】
【実施例】
次に本発明の実施例を図面に基づいて説明すると、保持具本体（１）は、合成樹脂又は金属等の各種の構成材料によって形成される。該保持具本体（１）には、各種形状の開閉自在の可動主体（２）と、該可動主体（２）を回動するための取付体（３）とより構成されている。
該可動主体（２）には、裏面の先端に開閉自在の各動形状の磁力体（５）を接着する。また、裏面には、相対する位置に枢軸（６）（６）を突設してある。
【０００６】
次に、該取付体（３）には、裏面側に各種形状の合成樹脂等に磁粉を混合した薄肉状の磁力板（７）を全体に接着してある。また、該取付体（３）には、該可動主体（２）に設けた該枢軸（６）（６）と回動自在に軸止する軸受部（８）（８）を突設形成して組立てられたものである。
【０００７】
【作用】
本発明の伝票等の紙挟み保持具を使用するには、先ず、書庫、冷蔵庫の金属表面の各所に伝票等を保持する場合は、保持具本体（１）の該取付体（３）の裏面である磁力板（７）を金属面に磁力で接着する。その後、図１の該可動主体（２）を矢印方向に押圧して、該磁力体（５）を金属面より開放し、その開放状態の時に伝票等の紙片を差し込み、該可動主体（２）を手より放すと、該磁力体（５）は、金属側に該伝票等の紙片を挟持した状態で保持する。次に、該伝票等の紙片を取り外す場合には、該紙片の一端を持って引くことによって磁力体の滑性により容易に脱離することができるものである。
【０００８】
【発明の効果】
以上説明したように、本発明の伝票等の紙挟み保持具によれば、従来のような可動主体をスプリングを利用して挟着保持する如く、挿着と脱離との両方にスプリングに耐して手操作することなく、一度の可動主体の挟持操作で伝票等の脱離ができる便利な効果と、スプリングの故障や装着の複雑な作業が不要になる効果がある。そして、保持具本体は、可動主体と取付体とによって、各々大小各種の形状に容易に形成できて便利である効果と、該可動主体と該取付体との各裏面側に磁力を接着するだけの簡単な構成なので、破損する等の憂いがなく長期間に渡って安心して使用できる効果がある。且つ可動主体に設けた磁力体は、滑性があるので、挟持した該伝票等の紙片を引くことによって容易に取り外すことができる便利な効果がある。
【図面の簡単な説明】
【図１】本発明の保持具本体の斜面図である。
【図２】同じく本発明の底部正面図である。
【図３】本発明の保持具本体における重要部分の縦断側面図である。
【図４】同じく本発明の可動主体の裏面部の正面図である。
【図５】本発明の取付体の裏面部の斜面図である。
【符号の説明】
１        保持具本体
２        可動主体
３        取付体
５        磁力体
６        枢軸
７        磁力板
８        軸受部
【図１】
2004224022.tif 000003
【図２】
2004224022.tif 000004
【図３】
2004224022.tif 000005
【図４】
2004224022.tif 000006
【図５】
2004224022.tif 000007
(57)【要約】      （修正有）【課題】抗菌作用、消臭作用、防汚作用を有し、無害で環境に良い優れたイ草製品を提供する。【解決手段】天然素材である茶カテキン、柿渋中のタンニンをイ草用の染色技術に使用する。さらに、光触媒である酸化チタンをイ草加工用の技術とすることにより抗菌作用、消臭作用、防汚作用、環境浄化等のすぐれた効果のあるイ草製品を製造する。【選択図】なし【特許請求の範囲】
【請求項１】
茶カテキン、柿渋中のタンニンをイ草の染色及び、光触媒酸化チタンを加工したイ草製品の製造方法
【発明の詳細な説明】
［産業上の利用分野］
イ草製品の染色は主として土染であった。茶カテキン及び柿渋中のタンニンを使用、光触媒、酸化チタンを加工する事で抗菌、消臭、防汚作用があり人体に無害で環境に良い製品が出来る。
［従来の技術］
現在迄は、主として土染のイ草製品は環境に対して悪い影響があった。
［発明が解決しようとする課題］
イ草に茶カテキン、柿渋中のタンニン及び、酸化チタンを染色し加工する事で抗菌、消臭、防汚作用があり環境に良い製品が出来る。
［課題を解決するための手段］
本発明はイ草製品の抗菌、消臭、防汚作用及び、無害で環境に良い優れた製品となり、耐久は２倍以上長持ちする。
［作  用］
イ草に茶カテキン、柿渋中のタンニン及び酸化チタンを使用することで抗菌、消臭、防汚作用及び環境に優れたイ草製品となる。
［実施例］    配合表
イ草１０ｋｇに対して
茶カテキン                        １０ｇ
柿渋中のタンニン                  １０ｇ
酸化チタン                        １０ｇ
［発明の効果］
抗菌、防臭、防汚作用及び、環境に優れたイ草製品が出来る。
(57)【要約】【課題】印鑑（１）とＵＳＢ接続フラッシュメモリ（６）を一緒に使う時に、それぞれが何処にあるのか、また使用後に、それぞれのキャップが何処にあるのか、忘れてしまい困ることがある。【解決手段】キャップ（１）の端部に、印面（５）側の端部を嵌めて接続する第一の嵌合穴（２）を設け、他端部にＵＳＢ接続フラッシュメモリ（６）の端子（７）側を嵌めて接続する第二の嵌合穴（３）を設ける。【選択図】          図１
2004224030.tif 000002
【特許請求の範囲】
【請求項１】
端部に、印面（５）側の端部を嵌めて接続する第一の嵌合穴（２）を設け、他端部にＵＳＢ接続フラッシュメモリ（６）の端子（７）側を嵌めて接続する第二の嵌合穴（３）を設けたふたくちキャップ。
【発明の詳細な説明】
【０００１】
【発明の属する技術分野】
本発明は、印鑑とＵＳＢ接続フラッシュメモリを、ひとつのキャップに分離着脱できる、ふたくちキャップに関するものである。
【０００２】
【従来の技術】
従来、印鑑とＵＳＢ接続フラッシュメモリは、それぞれ別々に専用の分離着脱するキャップが使用されている。
ＵＳＢ接続フラッシュメモリは、汎用のＵＳＢ（Ｕｎｉｖｅｒｓａｌ  Ｓｅｒｉａｌ  Ｂｕｓ）インターフェースを介してパーソナルコンピューター（以下、ＰＣと言う）と接続して記憶用媒体として使い、端子を保護するキャップが使用されている。
印鑑は、印面に朱肉を付けて捺印するスタンプ型印鑑、インクカートリッジが内臓されているインク内臓型印鑑、ＰＣと一緒に使う電子印鑑や、それらを組み合わせた印鑑があり、印面を保護するキャップが使用されている。
【０００３】
【発明が解決しようとする課題】
これは、次のような欠点がありました。ＰＣを使って履歴書や捺印を必要とする書類のデータを作りＵＳＢ接続フラッシュメモリに保存しておき、それらに捺印したい時や修正したい時に必要な印鑑とＵＳＢ接続フラッシュメモリが、それぞれ何処にあるのか、また使用後それぞれのキャップが何処にあるのか、忘れてしまい困ることがある。
【０００４】
【課題を解決するための手段】
キャップ（１）の端部に、印鑑（４）の印面（５）側の端部を嵌めて接続する第一の嵌合穴（２）を設け、他端部にＵＳＢ接続フラッシュメモリ（６）の端子（７）側を嵌めて接続する第二の嵌合穴（３）を設ける。
本発明は、以上の構成よりなるふたくちキャップである。
【０００５】
【発明の実施の形態】
図１に示した実施例では、キャップ（１）の端部に、印鑑（４）の印面（５）側の端部を嵌めて接続する円筒状に開けた第一の嵌合穴（２）を設ける。他端部にＵＳＢ接続フラッシュメモリ（６）の端子（７）を接続する第二の嵌合穴（４）を設ける。
【０００６】
図２に示した実施例では、キャップ（１）の端部に、印面（５）側の端部を嵌めて接続する円筒状に開けた第一の嵌合穴（２）に、印鑑（４）に形成した雄ネジ（９）と螺合する雌ネジ（８）を設ける。他端部にはＵＳＢ接続フラッシュメモリ（６）の端子（７）側ケースの端部を嵌め、ＵＳＢ接続フラッシュメモリ（６）の端子（７）を接続する第二の嵌合穴（３）を設ける。
【０００７】
図３に示した実施例では、キャップ（１）は合成樹脂で成形されたものであるキャップ（１）の端部に、印鑑（４）の印面（５）側の端部に形成した嵌入部（１１）と螺合する受け部（１０）を形成し、円筒状に開けた第一の嵌合穴（２）を設ける。他端部にはＵＳＢ接続フラッシュメモリ（６）の端子（７）側ケースの端部に形成した嵌入部（１３）と螺合する受け部（１２）を形成した第二の嵌合穴（３）を設ける。
本発明は以上のような構造で、これを使用すると印鑑（４）とＵＳＢ接続フラッシュメモリ（６）をキャップ（１）に分離着脱できる。
【０００８】
【発明の効果】
このキャップで、印鑑（４）とＵＳＢ接続フラッシュメモリ（６）のふたつを分離着脱でき、ＵＳＢ接続フラッシュメモリ（６）に、捺印が必要な書類や履歴書のＰＣ用データを保存しておけば、印鑑（４）とＵＳＢ接続フラッシュメモリ（６）を別々に保存しておいて何処へ保存したか忘れてしまったり、使った後にそれぞれのキャップを捜しまわったり、個人情報をＰＣに入れっぱなしにしたりすることが防止でき、その結果それらの修正や作成が短時間でできるようになる。また今後、ＰＣにＵＳＢ接続フラッシュメモリ（６）を接続し、保存されているデータへＰＣ用のディスプレイ上で電子印鑑を使い捺印するような場合でも、使用後にそれぞれのキャップを捜しまわったりすることが防止できる。
【図面の簡単な説明】
【図１】キャップの実施例を示す分解斜視図である。
【図２】キャップの実施例を示す縦断面図である。
【図３】キャップの実施例を示す縦断面図である。
【符号の説明】
１        キャップ
２        第一の嵌合穴
３        第二の嵌合穴
４        印鑑
５        印面
６        ＵＳＢ接続フラッシュメモリ
７        端子
８        雌ネジ
９        雄ネジ
１０、１２  受け部
１１、１３  嵌入部
【図１】
2004224030.tif 000003
【図２】
2004224030.tif 000004
【図３】
2004224030.tif 000005
(57)【要約】【課題】大きさ、形、配置にとらわれず自由に写真、資料４を整理保存出来る整理簡単シートを提供する。【解決手段】はりつけシート１の適位置に適数個の穴２を開け、その穴２に差し込む押えプレート３を設けたことを特徴とする。【選択図】      図１
2004224026.tif 000002
【特許請求の範囲】
【請求項１】
はりつけシート１の適位置に適数個の穴２を設け、その穴２に差し込む、押えプレート３を設けた整理簡単シート。
【発明の詳細な説明】
【０００１】
【発明の属する技術分野】
この発明は写真、資料４を簡単、容易に整理保存、又は、閲覧出来る整理簡単シートに関するものである。
【０００２】
【従来の技術】
従来より、写真、資料４を整理する場合、はりつけシート１に糊が付いており、任意の位置へはりつけたり、又糊の付いていないはりつけシート１の場合は、糊付きの三角コーナーがあり、この三角コーナーを使用し、任意の位置へはりつけたり１枚１枚が入る間仕切をした袋に入れたりして整理しておりました。ところが、糊付けした部分が長年はりつけたままでおくと剥せられなくなったり、又、糊によって写真、資料４が変色してしまうことがありました。そのために薄い別紙を部分的にはりつけ写真、資料４の全面付着を防いで写真、資料４を剥がし易いようにしてはりつけ整理をしておりました。間仕切付袋の場合には、間仕切で袋の大きさが決まってしまい、その大きさ以上のものは入りません。又、小さいものは隙間がありすぎてずれてしまい閲覧しにくい。
【０００３】
【発明が解決しようとする課題】
これは次のような不便さがあった。
（１）  糊付きのはりつけシート１は長年はりつけたままでいると剥す場合非常に困難であり無理に剥そうとすると写真、資料４が破れてしまう。
（２）  糊付きのはりつけシート１の場合、剥しやすくするため写真、資料４との間に薄紙をはりつけて対応していたが非常に面倒であった。
（３）  糊により長年はりつけていると写真、資料４が変色してしまう。
（４）  三角コーナーを使用した場合、糊付きのため長年はりつけていると、はりつけシート１から剥す時破れやすい。又、三角コーナーの厚さがあり、ファイルにすると全体が分厚くなってしまう。
（５）  間仕切付袋は写真、資料４を整理する場合、袋の大きさしか対応できず、又、小さい寸法のものは隙間がありすぎて袋の中でずれてしまい、見辛い。
本発明は、これらの欠点を解決するために発明されたものである。
【０００４】
【課題を解決するための手段】
はりつけシート１の適位置に適数個の穴２を開ける。そのはりつけシート１の上に写真、資料４を乗せ、押えプレート３の両端を、穴２へ挿入することによって保持する。
【０００５】
【発明の実施の形態】
以下、本発明の形態を説明する。
（イ）はりつけシート１の適位置に適数個の穴２を開ける。
（ロ）両側が穴２に挿入出来るような、押えプレート３を設ける。
（ハ）はりつけシート１と押さえプレート３によって写真、資料４を挟み込むことにより整理する。
（ニ）はりつけシート１を透明カバー５に入れて保存する。
本発明は、以上の構成よりなっている。
本発明を使用する場合、はりつけシート１には無数の穴２が開けられているので、整理したい写真、資料４の大きさ、形状及び取付け位置を限定することなく、自由にはりつけ出来ます。又、はりつけ用糊を使用しておりませんので、長年はりつけていても、くっついてしまい、剥す時に破れることなく糊によって写真、資料４が変色することは全くありません。三角コーナーも要らないので、ファイルしても分厚くなりません。はりつけシート１を透明カバー５に入れて保存し、更にそれをファイルすることによって閲覧も容易に出来る。
【０００６】
【発明の効果】
本発明を使用することによって、写真、資料４の大きさ、形状、方向を問わず自由な発想で自由な所へ容易にはりつけ出来るため、はりつけの構成配置を考えることなく簡単、容易に整理整頓出来ます。又、はりつけ用の糊を使用しておりませんので、やり直しも簡単で長年はりつけておいても、くっついてしまうこともなく、はりつけ用糊によって写真、資料４が変色することもありません。三角コーナーを使用しておりませんので分厚くなりません。従って、全く安心して整理整頓が行えます。
【図面の簡単な説明】
【図１】本発明の平面図
【図２】本発明のはりつけシートの保存状態を示す平面図
【図３】本発明の使用状態を示す斜視図
【図４】本発明の断面図
【図５】本発明の押えプレートの斜視図
【図６】本発明の押えプレートの斜視図
【図７】本発明の押えプレートの斜視図
【図８】本発明の押えプレートの斜視図
【符号の説明】
１  はりつけプレート
２  穴
３  押えプレート
４  写真、資料
５  透明カバー
【図１】
2004224026.tif 000003
【図２】
2004224026.tif 000004
【図３】
2004224026.tif 000005
【図４】
2004224026.tif 000006
【図５】
2004224026.tif 000007
【図６】
2004224026.tif 000008
【図７】
2004224026.tif 000009
【図８】
2004224026.tif 000010
(57)【要約】【課題】通常の操作ではソレノイド作動音が発生しないスライド操作部材の安全作動機構を提供する。【解決手段】段差１が形成されたスライド操作部材２と、前記段差１側と対向配置され前記スライド操作部材２のスライド方向（矢印方向）と略直交方向に突出及び後退可能にされており、バネ３により突出方向に付勢され通電により前記バネ３の突出付勢方向に逆らって後退するプランジャ４をもつソレノイド５とを備え、前記ソレノイド５への通電時に前記プランジャ４の先端は前記段差１と干渉せず、前記ソレノイド５への非通電時に前記プランジャ４の先端は前記段差１と干渉するものであって、前記段差１の低部側は前記スライド操作部材２の押し込み方向において徐々に前記プランジャ４側に近づく傾斜面１ａとして形成されたスライド操作部材の安全作動機構である。【選択図】  図１
2004224231.tif 000002
【特許請求の範囲】
【請求項１】
段差が形成されたスライド操作部材と、前記段差側と対向配置され前記スライド操作部材のスライド方向と略直交方向に突出及び後退可能にされており、バネにより突出方向に付勢され通電により前記バネの突出付勢方向に逆らって後退するプランジャをもつソレノイドとを備え、前記ソレノイドへの通電時に前記プランジャの先端は前記段差と干渉せず、前記ソレノイドへの非通電時に前記プランジャの先端は前記段差と干渉するものであって、前記段差の低部側は前記スライド操作部材の押し込み方向において徐々に前記プランジャ側に近づく傾斜面として形成されたスライド操作部材の安全作動機構。
【発明の詳細な説明】
【０００１】
【発明の属する技術分野】
本発明は、自動車などに使用されるスライド操作部材の安全作動機構に関し、例えばＡＴ車のシフトレバーを安全性よく作動させるためのものである。
【０００２】
【従来の技術】
このようなスライド操作部材の安全作動機構としては、スライド操作部材と、このスライド操作部材のスライド方向と略直交方向に突出及び後退可能にされており、バネにより突出方向に付勢され通電により前記バネの突出付勢方向に逆らって後退するプランジャをもつソレノイドとを備え、前記ソレノイドへの通電時に前記プランジャの先端は前記スライド操作部材と干渉せず、前記ソレノイドへの非通電時に前記プランジャの先端は前記スライド操作部材と干渉するものが普通である。そしてこの機構により、プランジャの通電時にのみスライド操作部材の押し込み操作を可能としている。
【０００３】
【発明が解決しようとする課題】
しかし、前記例では、スライド操作部材の押し込み操作を行いたいときに、あらかじめブレーキを踏むと、その踏み込みと連動して通電動作されるソレノイドの作動音（カチッという音）が気になるものである。この音はソレノイドのプランジャがソレノイドを構成するヨークなどに衝突する際に発生する金属的な衝撃音である。この衝撃音を和らげるためにゴムなどの緩衝材をプランジャに装着する静音ソレノイドが存在するが、衝撃音を和らげることはできても完全に排除することは困難であった。本発明はこのような解決すべき課題を鑑み、通常の操作ではソレノイド作動音が発生しないスライド操作部材の安全作動機構を提供することを目的とする。
【０００４】
【課題を解決するための手段】
本発明を要約すると、段差が形成されたスライド操作部材と、前記段差側と対向配置され前記スライド操作部材のスライド方向と略直交方向に突出及び後退可能にされており、バネにより突出方向に付勢され通電により前記バネの突出付勢方向に逆らって後退するプランジャをもつソレノイドとを備え、前記ソレノイドへの通電時に前記プランジャの先端は前記段差と干渉せず、前記ソレノイドへの非通電時に前記プランジャの先端は前記段差と干渉するものであって、前記段差の低部側は前記スライド操作部材の押し込み方向において徐々に前記プランジャ側に近づく傾斜面として形成されたスライド操作部材の安全作動機構である。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、段差１が形成されたスライド操作部材２と、前記段差１側と対向配置され前記スライド操作部材２のスライド方向（矢印方向）と略直交方向に突出及び後退可能にされており、バネ３により突出方向に付勢され通電により前記バネ３の突出付勢方向に逆らって後退するプランジャ４をもつソレノイド５とを備え、前記ソレノイド５への通電時に前記プランジャ４の先端は前記段差１と干渉せず、前記ソレノイド５への非通電時に前記プランジャ４の先端は前記段差１と干渉するものであって、前記段差１の低部側は前記スライド操作部材２の押し込み方向において徐々に前記プランジャ４側に近づく傾斜面１ａとして形成されたスライド操作部材の安全作動機構である。
【０００７】
さらに詳述すれば、スライド操作部材２は例えば図外の解除ボタンを押し込むと矢印方向に動こうとする。プランジャ４の先端寄りには鍔部６があり、鍔部６とソレノイド５のヨークとなる磁性金属製のケース７の前面との間に前記バネ３が挟み込まれる。そして、ケース７の内部にはコイル８がプランジャ４を囲むように配置されている。また、図２（Ｂ）に示すように、スライド操作部材２の両側はガイド部材９、９でガイドされている。
【０００８】
図１（Ａ）はスライド操作部材２の非操作時を示す。この状態ではプランジャ４は傾斜面１ａの最高面にて押し込まれて後退している。ここで、スライド操作部材２の押し込み操作を行いたいときに、あらかじめブレーキを踏むことによりソレノイド５に通電されても、プランジャ４はすでに押し込まれた状態であるので、その作動音が発生しない。次に、スライド操作部材２を押し込むと、プランジャ４は通電により押し込まれた状態のままであるため、プランジャ４の先端は段差１（の壁）とは干渉せず、図１（Ｂ）の状態になる。
【０００９】
図１（Ａ）の状態で、ブレーキを踏まずにスライド操作部材２の押し込み操作を行おうとした場合は図２（Ａ）の状態になる。すなわち、プランジャ４の先端はバネ３の突出付勢力で傾斜面１ａを滑って前進するため、段差１（の壁）と干渉してしまい、スライド操作部材２の押し込み操作ができなくなるという安全性が発揮される。なお、図２（Ａ）の状態でブレーキを踏み込むとソレノイド５の作動音は発生するが、そのような場合はよほど慌てて使用している時以外は有り得ないものである。
【００１０】
かくして本実施形態によれば、通常の操作ではソレノイド作動音が発生しないスライド操作部材の安全作動機構を提供できた。
【図面の簡単な説明】
【図１】（Ａ）スライド操作部材を押し込んでいない状態の断面図
（Ｂ）ソレノイド通電時にスライド操作部材を押し込んだ状態の断面図
【図２】（Ａ）ソレノイド非通電時にスライド操作部材を押し込んだ状態の断面図
（Ｂ）同直交方向の断面図
【符号の説明】
１  段差
１ａ  傾斜面
２  スライド操作部材
３  バネ
４  プランジャ
５  ソレノイド
【図１】
2004224231.tif 000003
【図２】
2004224231.tif 000004
(57)【要約】      （修正有）【課題】この発明は各社販売の水虫治療薬を高濃度アルコール基剤で稀釈した水虫治療薬液に、足・手を浸漬水虫患部を含め広い範囲の水虫菌を殺菌・消毒水虫を完治させる事にある。【解決手段】足についていえば内靴下を履き液を透さない袋を履き上靴下をはき袋を締め押さえ上を縛る袋の中に水虫治療薬液を入れ患部を含む広い範囲を浸漬し水虫菌を殺菌・消毒治療する。靴内を高濃度アルコールで殺菌・消毒する。靴下も殺菌・消毒して使用する。浴室マツトも殺菌・消毒する事で水虫を完治させる事ができる。【選択図】図１
2004224787.tif 000002
【特許請求の範囲】
【請求項１】
各製薬会社販売の  水虫治療薬を  消毒効果のたかい  ８０％前後２０％程の  高濃度のアルコール基剤で稀釈した  水虫治療薬液に  足・手の水虫菌を  浸漬・殺菌・消毒  する治療方法である。
【請求項２】
消毒液  例えば（次亜塩素酸ナトリューム）又は各種消毒薬を  消毒効果のたかい  ８０％前後２０％程の  高濃度のアルコール基剤で希釈した  水虫治療薬液に  足・手を  浸漬・殺菌・消毒  する治療方法である。
【請求項３】
足に内靴下を履き  手に内手袋をつけ  液漏れしない袋に  足手を入れ其の上に  上靴下を履き  上手袋をつけて  液漏れしない袋を締め其の袋の中え  水虫治療薬液を足首・手首の上迄来る迄入れ  浸漬・殺菌・消毒し  水虫を治療する
又内靴下・内手袋を使用しない事も出来る。
【請求項４】
水虫菌  殺菌の為  靴下を毎日  殺菌・消毒  する治療補助方法。
【請求項５】
水虫菌  殺菌・消毒の為  靴内を定期的に  高濃度アルコールにて
消毒する治療補助方法。
【請求項６】
靴内を  高濃度アルコールで  殺菌・消毒する事で  靴の消臭をすること。
【発明の詳細な説明】
【０００１】
【産業上の利用分野】
この発明は水虫の患部を含め  水虫菌の  付着・繁殖している  範囲以上のところを  水虫治療薬液にて  数十分から時間単位で浸漬し  角質層を柔はらげ  表皮・真皮  全体に  水虫治療薬液を浸透させ  水虫菌を  殺菌・消毒  死滅させる治療である。
【０００２】
【従来の技術】
従来は患部に太陽灯を当てるか  患部に綿棒で少量の水虫薬を塗つているが浸透性も悪く  そのような方法では  足全体に付着繁殖している  水虫菌の根絶はむずかしく  その塗つた部分は治つたようでも  すぐ又各所で繁殖し長年水虫に悩まされているのが現状である。
【０００３】
【発明が解決しようとする課題】
（１）  従来の局部治療でなく  広い範囲の  水虫治療薬液での  経済的な浸漬治療方法である。
（２）  投薬治療は副作用が心配である。
（３）  従来の方法では  かゆみが  なかなか  止まらない。
（４）  従来の方法では何十年と云う長期間治療しても  根治しないのを短期間での完全治療方法である。
【発明の実施の形態】
本発明の実施について説明する。
（１）  各製薬会社販売の水虫薬を  濃度８０％前後２０％程の  高濃度アルコール基剤にて稀釈した  水虫治療薬液をつくる。
（２）  消毒薬  例えば（次亜塩素酸ナトリーム）を  濃度８０％前後２０％程の  高濃度アルコール基剤にて稀釈した  水虫治療薬液をつくる。
（３）  足に内靴下を履き  （履かない時もある）  また手のときは手袋をはめ（はめない時もある）薬液の漏れない袋で包む  上靴下を履き袋を締め上げ押さえる事で  少ない水虫治療薬液で  充分な範囲を  浸漬・殺菌・消毒する事が出来る。
（４）  押さえた袋の中へ  水虫治療薬液を足首の上迄入れ  足首の上で縛る。
（５）  毎日１回以上数回  数十分〜１時間程浸漬し  角質・表皮・真皮に  充分水虫治療薬液を浸透させ  水虫菌を死滅させる。
（６）  靴を２足用意し  殺菌効果の高い  水分の少ない高濃度アルコールを片方に３０〜５０ｃｃ程入れ  竹ばしに綿を巻きつけた物で靴内をかき混ぜ靴内全体に  アルコールを充分に塗り  自然乾燥した物を使用する。
（７）  靴下はたえず  殺菌・消毒したものを使用する。
（８）  毎日浸漬を続けると  しばらくして  表皮が鱗状になり剥がれてくるがなお毎日浸漬つずけ  軽度の時は１回  重度の時は２回程  全体が剥がれるまで続け  １回又は２回  表皮が剥がれ足が綺麗になれば治療は完了する。
（９）  袋内の薬液は  何回も使用し  そのつど薬液は補充する。
（１０）  浴室の床  マツト等を常に消毒する。
（１１）  水虫菌は色々な所に居るし  体質的にも  移りやすいので  年に数回数日  足を薬液に浸漬し  殺菌・消毒  する。
（１２）  靴は週に１回消毒したものと交換する  靴内を殺菌・消毒  する事で水虫菌・雑菌の繁殖を防ぐ。
（１３）  靴内の高濃度アルコール消毒により  靴内の悪臭を防ぐ。
（１３）  高濃度アルコールのため  アルコールの使用上の注意を尊守すること。
（１４）  アルコール・アレルギー  の方には使用出来ないので注意のこと。
【発明の効果】
本発明は  水虫菌の繁殖すると考えられる以上の広範囲を  水虫菌が繁殖する角質は当然の事  表皮・真皮まで  水虫治療薬液を浸漬させ  表皮が剥離する迄  連続繰り返す事で  水虫菌を根絶する事が出来る事を  研究・実験・発明した。
又治療中の外観は靴下を履いているので他人には分からない。  又靴内を  殺菌・消毒する事で  靴の悪臭を消す事が出来る事を発見した。
【図面の簡単な説明】
【図１】本発明の断面図。
【図１】
2004224787.tif 000003
(57)【要約】【課題】従来の婦人科系治療は副作用が懸念され健康食品が注目されているが、服用することに抵抗がある人もいる。【解決手段】婦人科系に効能があるマカを燻し煙を体内に吸収させることによって婦人科系の治療になる。【選択図】なし【特許請求の範囲】
【請求項１】
マカ（Ｌｅｐｉｄｉｕｍ  Ｍｅｙｅｎｉｉ  ｗａｌｐ）を燻し、煙を粘膜から吸収させて婦人科系の病気の民間治療。
【発明の詳細な説明】
【０００１】
【発明の属する技術分野】
本発明は、マカを燻して使用に関する。
【０００２】
【従来の技術】
従来のマカの利用方法は粉末にして飲む、又はカプセルタイプとして飲むものがある。
【０００３】
一般的にマカの作用は滋養強壮、生理困難、不順、生的不能症、ストレス、冷え性、貧血、便秘、前立腺肥大症等男女問わず服用している。
【０００４】
【発明が解決しようとしている手段】
以上に述べた従来の服用の使用方法に抵抗を持っている人も多い。
【０００５】
本発明は、このような従来の服用に抵抗感を持つ方にも利用してもらえ、女性特有の病気に焦点を合わせている。
【０００６】
【課題を解決するための手段】
そして、本発明は上記目的を達成するためにマカを服用ではなく粘膜から吸収させる。
【０００７】
【発明の実態の形態】
マカを燻し膣・毛穴から煙を吸収して不妊、生理困難・不順、冷え性、貧血、便秘に効く。